(57)【要約】【課題】連続した粘着シートを簡単に貼付することのできるエスカレータハンドレール用連続シート貼付装置を得る。【解決手段】エスカレータハンドレール用連続シート貼付装置は、エスカレータの欄干に取り付けられ得る台座上に貼付ユニットを備え、ハンドレール上に連続粘着シートを貼付させるための装置であって、貼付ユニットは、先端でハンドレール上に貼付された粘着シートをハンドレールの移動に応じてハンドレール上に連続的に供給する粘着シート供給装置と、粘着シート供給装置から供給された粘着シートをハンドレールの表面に沿って案内して貼付ける案内貼付装置とを備え、粘着シートのロールから繰り出されたシート裏紙が先端でハンドレールに支持部材で支持され、シート裏紙がハンドレールの移動に応じて引き出される。【選択図】        図１
2004196501.tif 000002
【特許請求の範囲】
【請求項１】
エスカレータの欄干に取り付けられ得る台座上に貼付ユニットを備え、ハンドレール上に連続粘着シートを貼付させるための装置であって、
上記貼付ユニットは、先端でハンドレール上に貼付された粘着シートをハンドレールの移動に応じてハンドレール上に連続的に供給する粘着シート供給装置と、上記粘着シート供給装置から供給された粘着シートを上記ハンドレールの表面に沿って案内して貼付ける案内貼付装置とを備え、
上記粘着シートのロールから繰り出されたシート裏紙が先端でハンドレールにシート裏紙支持部材で支持され、シート裏紙がハンドレールの移動に応じて引き出されることを特徴とするエスカレータハンドレール用連続シート貼付装置。
【請求項２】
上記シート裏紙支持部材は、上記ハンドレールを挟持する挟持部材と、上記ロールから繰り出された上記シート裏紙の端部を掴持する掴持部材と、両端に上記挟持部材と掴持部材を弾性支持する弾性支持部材とを備えたことを特徴とする請求項１に記載のエスカレータハンドレール用連続シート貼付装置。
【請求項３】
上記貼付ユニットの上記案内貼付装置は、上記台座に設けられて、ハンドレール上に供給された粘着シートにハンドレールの移動方向に見て下流側に向かって次第に方向が変化する押圧力を加える複数の押圧ローラを備え、粘着シートをハンドレールの表面に沿って曲げて密着させることを特徴とする請求項１乃至２のいずれか一項に記載のエスカレータハンドレール用連続シート貼付装置。
【請求項４】
上記台座が、上記貼付ユニットを支持するフレームと、上記フレームに設けられてエスカレータの欄干に固着され得る吸盤装置を有する固定装置とを備えたことを特徴とする請求項１乃至３のいずれか一項に記載のエスカレータハンドレール用連続シート貼付装置。
【発明の詳細な説明】
【０００１】
【発明の属する技術分野】
この発明はエスカレータ等の乗客コンベアハンドレール用連続シート貼付装置に関し、特に連続した粘着シートを連続的にハンドレールに貼付するエスカレータハンドレール用連続シート貼付装置に関する。
【０００２】
【従来の技術】
従来の宣伝広告や案内などの表示を有するエスカレータ用ハンドレールは、表示を印刷した樹脂製シート、フィルム等の比較的短いシールをハンドレールの表面に多数枚定間隔に接着したものであり、ハンドレールのほぼ平坦な表面中央部にだけ接着されている（例えば、特許文献１参照。）。
【０００３】
また、ハンドレールの中央部分の表面に記入表示を行い、その上に樹脂コーティングを施しているものもある（例えば、特許文献２参照。）。
【０００４】
【特許文献１】
実開昭６１−５９２７４号公報  （第３頁第１行から第８行）
【特許文献２】
実開昭６３−１６２７７７号公報  （第３頁から第４頁）
【０００５】
【発明が解決しようとする課題】
しかしながら、多数枚のシールを貼り付けられたハンドレールでは、シールの外縁が手によって繰り返し摺られたり、ハンドレール駆動装置の押圧車輪で摩擦駆動されるためにシールが剥離しやすいという問題があった。さらに、多数枚のシールを貼り付ける作業と剥離する作業とに多くの人手および時間がかかるという問題もあった。
また、ハンドレール全長に渡るような長い連続した粘着シートは貼付にも剥離にも多大のマンパワーを要し、ある場合には貼付作業だけに３時間を要したこともあった。剥離作業も人手で行わねばならず、長時間の作業が必要であった。
【０００６】
また、表示の上に樹脂を一旦コーティングすると、表示内容を変更するためにはハンドレールの全体を交換しなければならず、宣伝広告などの表示内容を定期的に変更することはコスト面から実際上不可能であったという問題があった。
【０００７】
従って、この発明の目的は、連続した粘着シートを簡単に貼付することのできるエスカレータハンドレール用連続シート貼付装置を得ることである。
【０００８】
【課題を解決するための手段】
この発明に係わるエスカレータハンドレール用連続シート貼付装置においては、エスカレータの欄干に取り付けられ得る台座上に貼付ユニットを備え、ハンドレール上に連続粘着シートを貼付させるための装置であって、貼付ユニットは、先端でハンドレール上に貼付された粘着シートをハンドレールの移動に応じてハンドレール上に連続的に供給する粘着シート供給装置と、粘着シート供給装置から供給された粘着シートをハンドレールの表面に沿って案内して貼付ける案内貼付装置とを備え、粘着シートのロールから繰り出されたシート裏紙が先端でハンドレールに支持部材で支持され、シート裏紙がハンドレールの移動に応じて引き出される。
【０００９】
【発明の実施の形態】
実施の形態１．
図１はこの発明の実施の形態１のエスカレータハンドレール用連続シート貼付装置の概略正面図、図２は図１のＡ−Ａ断面での概略断面図、図３は図１の案内貼付装置の概略平面図、図４は図３のＢ−Ｂ断面での概略断面図、図５は図１のシート裏紙支持部材の斜視図である。
【００１０】
エスカレータハンドレール用連続シート貼付装置は、エスカレータの欄干１に取り付けられ得る台座２上に、貼付ユニット３が備えられている。
台座２に、フレーム４と、欄干１の欄干パネル５の片側に配置されるようにフレーム４に固定された２本の保持アーム６と、その先端に付けられた吸盤装置７とを有する固定装置８が備えられている。またフレーム４に、ベース４ａと、貼付ユニット３を支持する立ち上がり部４ｂが備えられている。フレーム４は固定装置８で欄干パネル５に固着されている。
【００１１】
貼付ユニット３は、先端でハンドレール９上に貼付された粘着シート１０をハンドレール９の移動に応じてハンドレール９上に連続的に供給する粘着シート供給装置１１と、粘着シート供給装置１１から供給された粘着シート１０をハンドレール９の表面に沿って案内して貼付ける案内貼付装置１２とを備えている。
【００１２】
粘着シート供給装置１１は、フレーム４に回転自在に支持され、供給フィルムのロール１３を回転可能に支持するフィルム支持軸１４と、フィルム支持軸１４の回転速度が引き出される粘着シートの速度に追随するようにフィルム支持軸１４の回転に制動を加えるテンションギアー１５とを備えている。
【００１３】
フィルム支持軸１４に設けられた雌ねじ部１４ａに嵌合し、フィルム支持軸１４に供給フィルムのロール１３を固定するナット１６がフィルム支持軸１４に備えられている。
【００１４】
案内貼付装置１２は、粘着シート供給装置１１から供給された粘着シート１０を案内貼付装置１２に引き込むゴムローラ１７と、ハンドレール９上に供給された粘着シート１０にハンドレール９の移動方向に見て下流側に向かって次第に方向が変化する押圧力を加える複数の押圧ローラ１８とを備えている。
ゴムローラ１７はゴムライニングされ、台座２に対して水平にフレーム４で回転自在に軸支されている。
【００１５】
図３を参照して押圧ローラ１８ａについて説明するが、後に説明する取付角度以外はその他の押圧ローラ１８ｂ、１８ｃ、１８ｄ、１８ｅも同じ構造である。押圧ローラ１８ａはそれぞれ押圧ローラ回動部材１９に回転自在に支持され、押圧ローラ回動部材１９はネジリコイルバネ２０で付勢され、取付部材２１に対して回動自由に支持されている。複数の取付部材２１は一対の鞍状の押圧部材取付板２２の内側面２２ａに固定されている。押圧部材取付板２２の外側面に平行な２個の直線軸受２３が設けられ、台座２に設けられた直線軸２４と嵌合して、水平方向に調整移動ができる。一対の押圧部材取付板２２間の間隔を調整するバネ２５とクランプ２６とからなる。
【００１６】
ハンドレール９の移動方向に見て、ハンドレール９の幅方向の内側に固定されている押圧ローラ１８ほど上流側に固定されている。
押圧ローラ１８は粘着シート１０の上から押圧力を加えて、粘着シート１０をハンドレール９の表面に沿って曲げて密着する。押圧力の方向は、押圧ローラ１８の軸に垂直である。押圧ローラ１８の軸はハンドレール９の移動方向に対して５個ともほぼ直角であるが、粘着シート１０に幅方向の張力を与えつつ貼付するためには僅かに傾けると良い結果が得られる。さらにハンドレール９の幅方向の内側に固定された押圧ローラ１８の軸ほど、ハンドレール９の鞍状の平坦部の平面に対して平行であり、外側に固定された押圧ローラ１８の軸ほど傾いている。
【００１７】
図４の押圧部材取付板２２の断面図に示すように、押圧部材取付板２２の内側面２２ａはハンドレール９の鞍状の平坦部の平面に対して平行な頂上部２２ｂと、約４５度傾いた肩部２２ｃと、約７０度傾いた裾部２２ｄと、約９０度傾いた裾先端部２２ｅとを有し、頂上部２２ｂに押圧ローラ１８ａ、肩部２２ｃに押圧ローラ１８ｂと１８ｃ、裾部２２ｄに押圧ローラ１８ｄ、裾先端部２２ｅに押圧ローラ１８ｅを取付部材２１を介して固定されていて、押圧ローラ１８の押圧力の方向を決めている。
【００１８】
さらに、ハンドレール９の移動方向に見て押圧部材取付板２２の先端にハンドレール締付ローラセット２７が備えられている。ハンドレール締付ローラセット２７は、押圧部材取付板２２の外側面２２ｆに固定され、ハンドレール９の幅方向に対して外側に約４５度傾いたアーム２８と、アーム２８に直角に保持された固定板２９と、固定板２９にネジリコイルバネ２０で付勢されて回動自由に支持された締付ローラ回動部材３０と、締付ローラ回動部材３０に回転自在に支持された締付ローラ３１とを備えている。
【００１９】
台座２のハンドレール９の移動方向に対して、貼付ユニット３の終端部に台座２とハンドレール９の水平方向を調整する調整ローラ３２が台座２に回転自在に固定されている。
【００２０】
図５に示すようにシート裏紙支持部材３３は、ハンドレールの左右両側面を掴む一対の挟持部材３４と、挟持部材３４を橋絡するテンションゴム３５と、左右の挟持部材３４の端部に長手方向の端部が接続された弾性支持部材３６と、弾性支持部材３６の他端に固定され、シート裏紙１６の引き出された端部を幅広く掴む掴持部材３７とを備えている。
【００２１】
このような構成のエスカレータハンドレール用連続シート貼付装置の操作について説明する。
貼付されるハンドレール９は、ハイパロンゴムからなり、高さ３０ｍｍ、幅８０ｍｍ位の鞍状の断面形状で、長さは一周で３０ｍ位の無端ベルトである。一方、フィルムはシンセディックポリマーフィルムの片側に印刷して表示体を設け、その印刷面に粘接着剤を塗布した粘着シート１０と、その上をラミネートしたシリコーン離型剤を塗布されたシート裏紙１６からなり、幅１３０ｍｍ位で外径８０ｍｍの紙管に所望の長さ、通常はハンドレール一周分である３０ｍを巻回されたロール１３になっている。
【００２２】
フィルムロール１３をフィルム支持軸１４に挿入後、ナット１６を締め付けて固定する。ハンドレール９の移動の下流側にシート裏紙支持部材３３を固定する。貼付ユニット３のフィルムのロール１３をシート裏紙１６と粘着シート１０とに分離し、シート裏紙１６をシート裏紙支持部材３３の掴持部材３７まで引っ張り出して先端部を掴持部材３７で挟持する。一方、粘着シート１０をゴムローラ１７とハンドレール９の間を通過させてハンドレール９の移動方向にさらに引き出し平たくハンドレール９に貼り付ける。この状態から、押圧部材取付板２２の間隔を縮めて、押圧ローラ１８がハンドレール９に当たるまでスライドし、停止したところでクランプ２６で固定する。この段階で、手で粘着シート１０の貼り付けの不十分の箇所を直したり、印を付けておく。次に１ｍ位ハンドレール９を送って、手で貼り付けた部分を切り取っておく。
【００２３】
次に、ハンドレール９を自動で駆動すると、ハンドレール９に粘着シート１０が引っ張られて粘着シート１０がフィルムロール１３から引き出される。同時にハンドレール９の移動に従ってシート裏紙１６が引き出される。粘着シート１０とシート裏紙１６は等しい速さで引き出されていく。
【００２４】
ここで案内貼付装置１２の動作を説明する。尚、ハンドレール９の断面は緩やかに幅方向に傾いた緩慢傾斜部と、約４５度に外側に傾いた肩部と、ほぼ直立した壁部と、さらに内側に傾いた首部がなめらかな曲線で結ばれた周囲を有している。
【００２５】
新規なフィルムロール１３からゴムローラ１７とハンドレール９の間を通過した粘着シート１０は、ハンドレール９の緩慢傾斜部に平らな状態で貼付され、さらに粘着シート１０はハンドレール９と一緒に移動して、押圧ローラ１８ａとハンドローラ１０の緩慢傾斜部の間に挿入されて、その部分の粘着シート１０が貼付される。さらに、粘着シート１０はハンドレール９と一緒に移動して、押圧ローラ１８ｂとハンドレール９の緩慢傾斜部の下部へ間に挿入され、その部分の粘着シート１０が貼付される。このようにして、押圧ローラ１８ｃ、押圧ローラ１８ｄ、押圧ローラ１８ｅとハンドレール９との当接する箇所を通過する過程で粘着シート１０が皺や気泡を残さずに貼付される。さらに、ハンドレール締付ローラセット２７の締付ローラ３１とハンドレール９の首部との間に粘着シート１０が引き込まれて、粘着シート１０の幅方向の端部が貼付される。
貼付した部分が重なるまで貼付し、その後、端部に隙間がないように切り取って、その端部を接着力の大きな粘着テープで覆っておく。
一方、ハンドレール９に端部が固定されて引き出されたシート裏紙１６はシート裏紙支持部材３３の掴持部材３７から一端を外し、供給フィルムのロール１３の近くで切断して、シート裏紙をまとめて処理する。
【００２６】
このようなハンドレール用粘着シート貼付装置を用いると、一旦粘着シートの長さ方向の先端部をハンドレールに貼付すれば、その後は人手を煩わせることなくハンドレールの移動に伴って粘着シート及びシート裏紙が引き出されて、粘着シートをハンドレールに貼付することができる。
【００２７】
さらに、シート裏紙を巻き取るなどの機構が無く、一スパン分（例えば、ハンドレールの三分の一周分）が完了したのち、ハンドレールの移動に従って引き出された裏紙シートを回収すれ良いので、長いエスカレータの場合でも、シート裏紙の処理が容易である。
【００２８】
さらに、大きな収容面積をフレームに必要となるシート裏紙を巻き取るための機構を設けなくてすむので、小型な連続シート貼付装置を得ることができる。
【００２９】
なお、このエスカレータハンドレール用連続シート貼付装置をエスカレータに関して説明したが、歩く歩道のようにハンドレールで乗客を案内する装置にも同様に適用可能である。
【００３０】
実施の形態２．
図６はこの発明の実施の形態２のエスカレータハンドレール用連続シート貼付装置の概略正面図である。図７は図６のＣ−Ｃ断面での概略断面図である。
実施の形態２のエスカレータハンドレール用連続シート貼付装置は図１と粘着シートをハンドレールの表面の一部だけに貼付し、持ち運びが容易に行えるようにしたことが異なっている。異なっている部分を説明し、同じ部分の説明は省略する。
【００３１】
貼付ユニット５０は、ハンドレール９の平坦部９ａに水平な台座５１と、先端でハンドレール９上に貼付された粘着シート１０をハンドレール９の移動に応じてハンドレール９上に連続的に供給する粘着シート供給装置５２と、粘着シート１０を貼り付けると同時に貼付ユニット５０をハンドレール９上に支持されながら、ハンドレール９上を案内する案内貼付装置５３と、台座５１の端部に垂直に支持され、貼付ユニット５０を支持する立ち上がり部５４ａを備えたフレーム５４とが備えられている。フレーム５４にはハンドレール９が移動しているとき、貼付ユニット５０を人手で静止しておくために、貼付ユニット５０を掴む取手５５が設けられている。貼付ユニット５０には、台座５１に直立して軸支され、粘着シート１０のロール１３の左右の位置を位置決めするシート位置調整ローラ５６が備えられている。
【００３２】
粘着シート供給装置５２は、フレーム５４に回転自在に支持され、供給フィルムのロール１３を回転可能に支持するフィルム支持軸１４と、フィルム支持軸１４の回転速度が引き出される粘着シート１０の速度に追随するようにフィルム支持軸１４の回転に制動を加えるテンションギアー１５とを備えている。
【００３３】
フィルム支持軸１４に設けられた雌ねじ部１４ａに嵌合し、フィルム支持軸１４に供給フィルムのロール１３を固定するナット１６がフィルム支持軸１４に備えられている。
【００３４】
案内貼付装置５３は、粘着シート供給装置５２から供給された粘着シート１０を案内貼付装置５３に引き込むゴムローラ５７と、ゴムローラ５７とハンドレール９の平坦部９ａに対して水平に配置され、フレーム５４に垂直に軸支されたゴムローラ５８とを備えている。
ゴムローラ５７、５８はゴムライニングされていて、貼付ユニット５０をハンドレール９に対して支持しながら、ハンドレール９の移動に伴って回転している。
【００３５】
台座５１のハンドレール９の移動方向に対して、前方と後方の２箇所に台座５１とハンドレール９との水平方向を調整する調整ローラ５９、６０が台座５１に回転自在に固定されている。
【００３６】
このような構成の貼付ユニット５０について操作を説明する。貼付するハンドレール９は、ハイパロンゴムからなり、高さ３０ｍｍ、幅８０ｍｍ位の鞍状の断面形状で、長さは一周で３０ｍ位の無端ベルトである。一方、フィルムはシンセディックポリマーフィルムの片側に印刷して表示体を設け、その印刷面に粘接着剤を塗布した粘着シート１０と、その上をラミネートしたシリコーン離型剤を塗布されたシート裏紙１６からなり、幅６０ｍｍ位で外径８０ｍｍの紙管に所望の長さ、通常はハンドレール一周分である３０ｍを巻回されたロール１３になっている。
【００３７】
フィルムロール１３をフィルム支持軸１４に挿入後、ナット１６を締め付けて固定する。ハンドレール９の移動の下流側に挟持部材３４を固定する。貼付ユニット５０のフィルムロール１３をシート裏紙１６と粘着シート１０とに分離し、シート裏紙１６をシート裏紙支持部材３３の掴持部材３７まで引っ張り出して先端部を掴持部材３７で挟持する。一方、粘着シート１０をゴムローラ５７とハンドレール９の間と、ゴムローラ５８とハンドレール９の間を通過させてハンドレール９の移動方向にさらに引き出し平たくハンドレール９に貼り付ける。この段階で、手で粘着シート１０の貼り付けの不十分の箇所を直したり、印を付けておく。次に１ｍ位ハンドレール９を送って、手で貼り付けた部分を切り取っておく。
【００３８】
次に、ハンドレール９を自動で駆動すると、ハンドレール９に粘着シート１０が引っ張られて粘着シート１０がフィルムロール１３から引き出される。同時にハンドレール９の移動に従ってシート裏紙１６が引き出される。粘着シート１０とシート裏紙１６は等しい速さで引き出されていく。
【００３９】
このようなハンドレール用粘着シート貼付装置は、ハンドレールの平坦部へ平らに粘着シートを貼付することができるので、実施の形態１よりさらに小型にすることができる。
【００４０】
【発明の効果】
以上の如くこの発明の粘着シート付ハンドレールによる効果は次の通りである。
エスカレータハンドレール用連続シート貼付装置は、エスカレータの欄干に取り付けられ得る台座上に貼付ユニットを備え、ハンドレール上に連続粘着シートを貼付させるための装置であって、貼付ユニットは、先端でハンドレール上に貼付された粘着シートをハンドレールの移動に応じてハンドレール上に連続的に供給する粘着シート供給装置と、粘着シート供給装置から供給された粘着シートをハンドレールの表面に沿って案内して貼付ける案内貼付装置とを備え、粘着シートのロールから繰り出されたシート裏紙が先端でハンドレールに支持部材で支持され、シート裏紙がハンドレールの移動に応じて引き出されるので、一旦粘着シートの長さ方向の先端部をハンドレールに貼付すれば、その後は人手を煩わせることなくハンドレールの移動に伴って粘着シート及びシート裏紙が引き出されて、粘着シートをハンドレールに貼付することができる。
【図面の簡単な説明】
【図１】この発明の実施の形態１のエスカレータハンドレール用連続シート貼付装置の概略正面図である。
【図２】図１のＡ−Ａ断面の概略断面図である。
【図３】図１の押圧部材取付板の概略平面図である。
【図４】図３のＢ−Ｂ断面の概略断面図である。
【図５】図１の裏紙シート支持部材の斜視図である。
【図６】この発明の実施の形態２のエスカレータハンドレール用連続シート貼付装置の概略正面図である。
【図７】図６のＣ−Ｃ断面の概略断面図である。
【符号の説明】
１  欄干、２、５１  台座、３、５０  貼付ユニット、４、５４  フレーム、５  欄干パネル、６  保持アーム、７  吸盤装置、８  固定装置、９  ハンドレール、１０  粘着シート、１１、５２  粘着シート供給装置、１２、５３  案内貼付装置、１３  供給フィルムのロール、１４  フィルム支持軸、１５  テンションギアー、１６  シート裏紙、１７、５７、５８  ゴムローラ、１８  押圧ローラ、１９  押圧ローラ回動部材、２０  ネジリコイルバネ、２１  取付部材、２２  押圧部材取付板、２３  直線軸受、２４  直線軸、２５  バネ、２６  クランプ、２７  ハンドローラ締付ローラセット、２８  アーム、２９  固定板、３０  締付ローラ回動部材、３１  締付ローラ、３２、５９、６０  調整ローラ、３３  シート裏紙支持部材、３４  挟持部材、３５  テンションゴム、３６  弾性支持部材、３７  掴持部材、５５  取手、５６  位置調整ローラ。
【図１】
2004196501.tif 000003
【図２】
2004196501.tif 000004
【図３】
2004196501.tif 000005
【図４】
2004196501.tif 000006
【図５】
2004196501.tif 000007
【図６】
2004196501.tif 000008
【図７】
2004196501.tif 000009